【手続補正書】
【提出日】平成27年12月10日(2015.12.10)
【手続補正１】
【補正対象書類名】特許請求の範囲
【補正対象項目名】全文
【補正方法】変更
【補正の内容】
【特許請求の範囲】
【請求項１】
デジタルシネマ主要作品と共に表示するデジタル補助コンテンツタイトルを選択するための方法であって、
（ａ）前記デジタルシネマ主要作品に関連付けられる第１のセットの形式属性を判定するステップと、
（ｂ）前記デジタル補助コンテンツタイトルに対応する第１のデジタル補助コンテンツを選択するステップであって、前記第１のデジタル補助コンテンツは、少なくとも前記第１のセットと互換性がある第２のセットの形式属性を持つ、ステップと、さもなくば
（ｃ）少なくとも前記第１のセットの形式属性と互換性がある形式属性を持つ、前記デジタル補助コンテンツタイトルに対応するデジタル補助コンテンツが無い場合、警告を生成するステップと、
を含む、前記方法。
【請求項２】
前記第１のセットの形式属性を判定するステップが、前記デジタルシネマ主要作品に関連付けられるメタデータを検査するステップを含む、請求項１に記載の方法。
【請求項３】
前記第１のデジタル補助コンテンツを選択するステップが、前記第１のデジタル補助コンテンツに関連付けられるメタデータを検査するステップを含む、請求項１に記載の方法。
【請求項４】
前記選択するステップが、
少なくとも前記第１のデジタル補助コンテンツと、第２のデジタル補助コンテンツとを識別するステップであって、両者とも前記デジタル補助コンテンツタイトルに対応し、前記第２のデジタル補助コンテンツは、前記デジタル補助コンテンツタイトルに対応し、第３のセットの形式属性を持ち、前記第３のセットは前記第１のセットの形式属性と互換性がある、ステップと、
前記第２および第３のセットの形式属性のうちのどちらがより満足できる再生をもたらすかに基づき、前記第１および第２のデジタル補助コンテンツのうちから選択するステップと、
をさらに含む、請求項１に記載の方法。
【請求項５】
前記第２および第３のセットの形式属性のうちのどちらがより満足できる再生をもたらすかを、上映者が構築する少なくとも１つの基準に従って判定する、請求項４に記載の方法。
【請求項６】
前記第１のデジタル補助コンテンツを選択するステップが、
デジタルシネマ主要作品と互換性が無い形式属性のうちの少なくとも１つの形式属性を有するデジタル補助コンテンツタイトルを識別するステップと、
互換性が無い形式属性のうちの少なくとも１つの形式属性を有する前記デジタル補助コンテンツタイトルを処理して、その形式属性を互換性を持つようにレンダリングするステップと、
を含む、請求項１に記載の方法。
【請求項７】
（ｄ）操作者に対して前記警告を提示するステップと、
（ｅ）警告を無効にすることを前記操作者から受け入れて、互換性が無いにもかかわらず前記デジタル補助コンテンツタイトルを選択するステップと、
をさらに含む、請求項１に記載の方法。
【請求項８】
ステップ（ｅ）がステップ（ｄ）に先だって実行され、これによって、前記無効を受け入れることにより上映者のポリシーが構成される、請求項７に記載の方法。
【請求項９】
前記デジタル補助コンテンツタイトルと前記デジタルシネマ主要作品との互換性が、
選択した前記デジタル補助コンテンツタイトルの前記形式属性のそれぞれと、対応する前記デジタルシネマ主要作品の前記形式属性のそれぞれとを比較して、各形式属性のうちデジタル補助コンテンツタイトルのどの属性が最低品質を持つかについて品質評価を確立するステップと、
選択した前記デジタル補助コンテンツタイトルの互換性を構築するために上映者のポリシーに従って、前記デジタル補助コンテンツタイトルの前記最低品質の形式属性が、再生を妨げるかどうかを判定するステップと、
によって判定される、請求項１に記載の方法。
【請求項１０】
前記形式属性が、アスペクト比と、フレームレートと、解像度と、画像立体視と、ピークビットレートと、を含む、請求項１に記載の方法。
【請求項１１】
（ａ）デジタルシネマ主要作品に関連付けられる形式属性を判定するステップと、（ｂ）前記デジタルシネマ主要作品の前記形式属性と少なくとも互換性がある形式属性のセットを有するデジタル補助コンテンツタイトルを選択するステップと、さもなくば（ｃ）少なくとも前記デジタルシネマ主要作品と互換性がある形式属性のセットを持つデジタル補助コンテンツタイトルが無い場合、警告を生成するステップと、により前記デジタルシネマ主要作品と共に表示するデジタル補助コンテンツタイトルを選択するように構成されたメディアサーバを含む、デジタルシネマ上映システム。
【請求項１２】
前記メディアサーバは、前記デジタルシネマ主要作品の前記形式属性を、前記デジタルシネマ主要作品に関連付けられる第１のメタデータを検査することにより判定する、請求項１１に記載のデジタルシネマ上映システム。
【請求項１３】
前記メディアサーバは、デジタル補助コンテンツタイトルを、前記デジタル補助コンテンツタイトルに関連付けられる第２のメタデータを検査することにより選択することを特徴とする請求項１１に記載のデジタルシネマ上映システム。
【請求項１４】
前記メディアサーバは、前記デジタル補助コンテンツタイトルを、少なくとも互換性のある形式属性を持つ第１および第２のデジタル補助コンテンツを識別すること、次に、互換性のある形式属性を持つ前記第１および第２のデジタル補助コンテンツのうちから、満足できる再生をもたらす形式属性を持つ前記デジタル補助コンテンツタイトルを選択すること、により選択する、請求項１１に記載のデジタルシネマ上映システム。
【請求項１５】
前記メディアサーバは、前記デジタル補助コンテンツタイトルを、デジタルシネマ主要作品と互換性が無い形式属性のうちの少なくとも１つの形式属性を有する前記デジタル補助コンテンツタイトルを識別すること、次に、互換性が無い形式属性のうちの少なくとも１つの形式属性を有する前記デジタル補助コンテンツタイトルを処理して、その形式属性を互換性を持つようにレンダリングすること、により選択する、請求項１１に記載のデジタルシネマ上映システム。
【請求項１６】
前記メディアサーバは、操作者に対して前記警告を提示し、前記警告を無効にすることを操作者から受け入れて、互換性が無いにもかかわらず前記デジタル補助コンテンツタイトルを選択する、請求項１１に記載のデジタルシネマ上映システム。
【請求項１７】
前記メディアサーバは、前記デジタル補助コンテンツタイトルと前記デジタルシネマ主要作品との互換性を、前記選択したデジタル補助コンテンツタイトルの前記形式属性のそれぞれと、対応するデジタルシネマ主要作品の形式属性のそれぞれとを比較して、各形式属性のうちどのデジタル補助コンテンツタイトルの形式属性が最低品質を持つかについて品質評価を確立することと、選択した前記デジタル補助コンテンツタイトルの互換性を構築するために上映者のポリシーに従って、前記デジタル補助コンテンツタイトルの前記最低品質の形式属性が、再生を妨げるかどうかを判定することと、により判定する、請求項１１に記載のデジタルシネマ上映システム。
【請求項１８】
前記形式属性が、アスペクト比と、フレームレートと、解像度と、画像立体視と、ピークビットレートと、を含む、請求項１１に記載のデジタルシネマ上映システム。
【手続補正２】
【補正対象書類名】明細書
【補正対象項目名】００８７
【補正方法】変更
【補正の内容】
【００８７】
上記では、デジタルシネマ表示用のプレイリストを作成して、そのプレイリストで指定されるコンテンツの形式属性の互換性を確保するための技術、について記載した。
（付記１）
デジタル主要作品と共に表示するデジタル補助コンテンツタイトルを選択するための方法であって、
（ａ）前記デジタル主要作品に関連付けられる第１のセットの形式属性を判定するステップと、
（ｂ）前記デジタル補助コンテンツタイトルに対応する第１のデジタル補助コンテンツを選択するステップであって、前記第１のデジタル補助コンテンツは、少なくとも前記第１のセットと互換性がある第２のセットの形式属性を持つ、ステップと、さもなくば
（ｃ）少なくとも前記第１のセットと互換性がある形式属性を持つ、前記デジタル補助コンテンツタイトルに対応するデジタル補助コンテンツが無い場合、警告を生成するステップと、
を含む、前記方法。
（付記２）
前記第１のセットの形式属性を判定するステップが、前記デジタルシネマ主要作品に関連付けられるメタデータを検査するステップを含む、付記１に記載の方法。
（付記３）
前記第１のコンテンツを選択するステップが、前記第１のデジタル補助コンテンツに関連付けられるメタデータを検査するステップを含む、付記１に記載の方法。
（付記４）
前記選択するステップが、
少なくとも前記第１のデジタル補助コンテンツと、第２のデジタル補助コンテンツとを識別するステップであって、両者とも前記デジタル補助コンテンツタイトルに対応し、前記第２のデジタル補助タイトルコンテンツは、前記デジタル補助コンテンツタイトルに対応し、第３のセットの形式属性を持ち、前記第３のセットは前記第１のセットと互換性がある、ステップと、
前記第２および第３のセットの形式属性のうちのどちらがより満足できる再生をもたらすかに基づき、前記第１および第２のデジタル補助コンテンツのうちから選択するステップと、
をさらに含む、付記１に記載の方法。
（付記５）
前記第２および第３のセットの形式属性のうちのどちらがより満足できる再生をもたらすかを、上映者が構築する少なくとも１つの基準に従って判定する、付記４に記載の方法。
（付記６）
前記第１のデジタル補助コンテンツを選択するステップが、
デジタルシネマ主要作品と互換性が無い形式属性のうちの少なくとも１つの属性を有するデジタル補助コンテンツタイトルを識別するステップと、
互換性が無い形式属性のうちの少なくとも１つの属性を有する前記デジタル補助コンテンツタイトルを処理して、その形式属性を互換性を持つようにレンダリングするステップと、
を含む、付記１に記載の方法。
（付記７）
（ｄ）操作者に対して前記警告を提示するステップと、
（ｅ）警告を無効にすることを前記操作者から受け入れて、互換性が無いにもかかわらず前記補助コンテンツタイトルを選択するステップと、
をさらに含む、付記１に記載の方法。
（付記８）
ステップ（ｅ）がステップ（ｄ）に先だって実行され、これによって、前記無効を受け入れることにより上映者のポリシーが構成される、付記７に記載の方法。
（付記９）
前記補助コンテンツタイトルとデジタルシネマ主要作品との互換性が、
選択した前記補助コンテンツタイトルの前記形式属性のそれぞれと、対応する前記デジタルシネマ主要作品の前記形式属性のそれぞれとを比較して、各形式属性のうち補助コンテンツタイトルのどの属性が最低品質を持つかについて品質評価を確立するステップと、
選択した前記補助コンテンツタイトルの互換性を構築するために上映者のポリシーに従って、前記補助コンテンツタイトルの前記最低品質の形式属性が、再生を妨げるかどうかを判定するステップと、
によって判定される、付記１に記載の方法。
（付記１０）
前記形式属性が、アスペクト比と、フレームレートと、解像度と、画像立体視と、ピークビットレートと、を含む、付記１に記載の方法。
（付記１１）
（ａ）デジタルシネマ主要作品に関連付けられる形式属性を判定するステップと、（ｂ）前記デジタル主要作品の前記形式と少なくとも互換性がある形式属性セットを有するデジタル補助コンテンツタイトルを選択するステップと、さもなくば（ｃ）少なくとも前記デジタルシネマ主要作品と互換性がある形式属性のセットを持つデジタル補助コンテンツタイトルが無い場合、警告を生成するステップと、によりデジタルシネマ主要作品と共に表示するデジタル補助コンテンツタイトルを選択するように構成されるメディアサーバを含む、デジタルシネマ上映システム。
（付記１２）
前記メディアサーバは、前記デジタルシネマ主要作品の前記形式属性を、前記デジタルシネマ主要作品に関連付けられる第１のメタデータを検査することにより判定する、付記１１に記載の装置。
（付記１３）
前記メディアサーバは、デジタル補助コンテンツタイトルを、前記デジタル補助コンテンツタイトルに関連付けられる第２のメタデータを検査することにより選択することを特徴とする付記１１に記載の装置。
（付記１４）
前記メディアサーバは、前記デジタル補助コンテンツを、少なくとも互換性のある形式属性を持つ第１および第２のデジタル補助コンテンツタイトルを、識別すること、次に、互換性のある形式属性を持つ前記第１および第２のデジタル補助コンテンツタイトルのうちから、満足できる再生をもたらす形式属性を持つ前記デジタル補助コンテンツタイトルを選択すること、により選択する、付記１１に記載の装置。
（付記１５）
前記メディアサーバは、デジタル補助コンテンツタイトルを、デジタルシネマ主要作品と互換性が無い形式属性のうちの少なくとも１つの属性を有する前記デジタル補助コンテンツタイトルを識別すること、次に、互換性が無い形式属性のうちの少なくとも１つの属性を有する前記補助コンテンツタイトルを処理して、その形式属性を互換性を持つようにレンダリングすること、により選択する、付記１に記載の装置。
（付記１６）
前記メディアサーバは、操作者に対して前記警告を提示し、前記警告を無効にすることを操作者から受け入れて、互換性が無いにもかかわらず前記補助コンテンツタイトルを選択する、付記１１に記載の装置。
（付記１７）
前記メディアサーバは、前記補助コンテンツタイトルと前記デジタルシネマ主要作品との互換性を、前記選択した補助コンテンツタイトルの前記形式属性のそれぞれと、対応するデジタルシネマ主要作品の形式属性のそれぞれとを比較して、各形式属性のうちどの補助コンテンツタイトルの形式属性が最低品質を持つかについて品質評価を確立することと、選択した前記補助コンテンツタイトルの互換性を構築するために上映者のポリシーに従って、前記補助コンテンツタイトルの前記最低品質の形式属性が、再生を妨げるかどうかを判定することと、により判定する、付記１１に記載の装置。
（付記１８）
前記形式属性が、アスペクト比と、フレームレートと、解像度と、画像立体視と、ピークビットレートと、を含む、付記１１に記載の装置。